(57)【特許請求の範囲】
【請求項１】
内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成した環状のロータリーディスクタンブラーを挿設し、その実体部の１ヵ所を、内筒を軸線方向に貫通する支軸に揺動可能に軸支すると共に、自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたものにおいて、合鍵のブレードの少なくとも１ヵ所に、鍵孔に挿入されたとき一端が選択されたロータリーディスクタンブラーの鍵挿通孔の開口端縁と内筒中心軸線方向において整合する、ブレードの厚さよりも長いフローティングピンを、ブレードを貫通して長さ方向に遊動できるように支承し、一方、上記選択されたロータリーディスクタンブラーが収納されているスロットを形成する一対の仕切板の内室内側の仕切板を選択された仕切板として指定し、この選択された仕切板の上記フローティングピンの他端の移動軌跡と干渉する部分の室外側に、フローティングピンの他端と係合してこれを鍵孔の開口端縁に揃えるように案内する棚部を形成し、他方、選択された仕切板より室外側にある仕切板に、フローティングピンが潜り抜けることができる逃し切欠を形成し、また、選択されたロータリーディスクタンブラーの鍵挿通孔の開口端縁の、フローティングピンの一端と当接する部分を、合鍵が挿入されてフローティングピンの一端により押動されたとき、選択されたロータリーディスクタンブラーの解錠切欠がロッキングバーの内側縁と整合するように成形したことを特徴とするロータリーディスクタンブラー錠。
【発明の詳細な説明】
【０００１】
【発明が属する技術分野】
この発明は、本出願人が先に提案した新規なロータリーディスクタンブラー錠の改良に係り、特に、所謂ピッキングと称される不正解錠を困難にするロータリーディスクタンブラー錠に関する。
【０００２】
【従来の技術】
本出願人は、先に、特願２００１−３１６８８５を以て、従来の所謂レバータンブラー錠（ロータリーディスクシリンダ錠）を改良した新規なロータリーディスクタンブラー錠を提案した。
【０００３】
このロータリーディスクタンブラー錠は、内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成した環状のロータリーディスクタンブラーを挿設し、その実体部の１ヵ所を、内筒を軸線方向に貫通する支軸に揺動可能に軸支すると共に、自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたことを特徴とするものである。
【０００４】
上記したロータリーディスクタンブラー錠の構成を更に要約すると、図１に示すように、中央部に鍵孔を包囲し得る大きさの鍵挿通孔１を形成した環状のロータリーディスクタンブラー２を支軸３に揺動可能に軸支すると共に、自由端部外側端縁に解錠切欠４を形成し、一方、鍵挿通孔１の開口端縁に、先端の移動軌跡が鍵孔５に挿入された合鍵６のブレードの平面部又は端縁部と干渉する係合突起７を一体に突設し、各ロータリーディスクタンブラー２をこの係合突起７が合鍵６に近接する方向に付勢すると共に、常態ではバックアップピン８に係止し、他方、これらのタンブラー群の係合突起の夫々が鍵孔５に挿通された合鍵６のブレードに形成された対応する窪み９と係合したとき、各ロータリーディスクタンブラーの解錠切欠４をロッキングバー１１の内側縁と整合させるものである。
【０００５】
【発明が解決しようとする課題】
この発明は、上記ロータリーディスクタンブラー錠にフローティングピン機構を組込み、所謂ピッキングと称される不正解錠を更に困難にしたロータリーディスクタンブラー錠を提供することを目的としている。
【０００６】
【課題を解決するための手段】
上記の目的を達成するため、請求項１に記載の発明は、内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成した環状のロータリーディスクタンブラーを挿設し、その実体部の１ヵ所を、内筒を軸線方向に貫通する支軸に揺動可能に軸支すると共に、自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたものにおいて、合鍵のブレードの少なくとも１ヵ所に、鍵孔に挿入されたとき一端が選択されたロータリーディスクタンブラーの鍵挿通孔の開口端縁と内筒中心軸線方向において整合する、ブレードの厚さよりも長いフローティングピンを、ブレードを貫通して長さ方向に遊動できるように支承し、一方、上記選択されたロータリーディスクタンブラーが収納されているスロットを形成する一対の仕切板の内室内側の仕切板を選択された仕切板として指定し、この選択された仕切板の上記フローティングピンの他端の移動軌跡と干渉する部分の室外側に、フローティングピンの他端と係合してこれを鍵孔の開口端縁に揃えるように案内する棚部を形成し、他方、選択された仕切板より室外側にある仕切板に、フローティングピンが潜り抜けることができる逃し切欠を形成し、また、選択されたロータリーディスクタンブラーの鍵挿通孔の開口端縁の、フローティングピンの一端と当接する部分を、合鍵が挿入されてフローティングピンの一端により押動されたとき、選択されたロータリーディスクタンブラーの解錠切欠がロッキングバーの内側縁と整合するように成形したことを特徴とする。
【０００７】
【実施例】
以下、この発明の実施例を図２乃至図７を参照して説明する。
図２において符号６はこの発明の実施例によるロータリーディスクタンブラー錠の合鍵を示し、この合鍵は、従来のロータリーディスクタンブラー錠の合鍵と同様に、ブレード１２と摘み１３とを一体に結合したものである。
【０００８】
このブレード１２の少なくとも１個所（図示の実施例ではブレードの先端）の窪み９（図１参照）を形成すべき部位に、フローティングピン１４がブレードの厚さ方向（図２の紙面方向）に遊動可能に支承されている。
【０００９】
この場合、内筒における最奥のロータリーディスクタンブラー２、換言すれば最も室内側のロータリーディスクタンブラーがこのフローティングピンに対応するものとして選択されており、以下これを選択されたロータリーディスクタンブラー２００と称することにする。
【００１０】
言うまでもないが、合鍵を鍵孔に挿入すると、フローティングピン１４は選択されたロータリーディスクタンブラー２００の鍵挿通孔１の開口端縁に整合する。
【００１１】
このフローティングピン１４は、図３に示すように、例えば一端（左側のフローティングピン１４の上端）を円錐台形に成形し、他端側に大径の厚いフランジ部を一体に結合すると共に、他端に球面の一部を一体に形成したものである。
【００１２】
なお、図２及び図３で一対のフローティングピン１４、１４が内筒の中心軸線に関し点対称に配設されている理由は、このロータリーディスクタンブラー錠の合鍵がリバーシブルキー、すなわち、ブレード１２を裏返して鍵孔５に挿入しても施解錠できるものだからである。
【００１３】
また、これらのフローティングピン１４、１４をブレード１２に装着するには、例えば、フローティングピン１４と遊嵌する付番しない段付のピン孔をブレード１２を貫通するように形成し、このピン孔にフローティングピン１４を挿入した後、ピン孔の大径の開口端縁を内側に張り出すようにかしめる。
【００１４】
このフローティングピン１４の長さ、すなわち、図３における上下方向の寸法は、合鍵のブレード１２の厚さより大きくなるように設定されている。
【００１５】
そのため、フローティングピン１４に外力が作用しない常態においては、図示のように、フローティングピン１４の両端はブレード１２の表面から外方に突出する。
【００１６】
図示の実施例におけるロータリーディスクタンブラー錠は、例えば図３に示すように、合鍵６のブレードを水平にした状態で鍵孔６に挿入するようにし、フローティングピン１４を重力の加速度により常時下方に付勢するようにしてその位置を制御する形式である。
【００１７】
一方、この発明が適用されるロータリーディスクタンブラー錠の構造は、従来のＣ字型のレバータンブラーを用いるレバータンブラー錠と同じで周知であり、また、前記特願２００１−３１６８８５に添付した明細書及び図面に詳細に記載されているから簡単に述べると、図４に示すように、複数の仕切板１５、１５（図１参照及び図５参照）、キーガイド１６及びテールプラグ１７をリテーナー１８、１８（図１参照）により所定の間隙を置いて相互に結合して内筒１９を構成し、この内筒１９を外筒２１に回動可能に嵌装する。
【００１８】
上記仕切板１５、１５の間に形成される各スロット２２には、前記した態様で、ロータリーディスクタンブラー２が収納されている。
【００１９】
上記したように、選択されたロータリーディスクタンブラー２００は最奥のものであるから、これを収納しているスロット２２を形成しているものは仕切板１５とテールプラグ１７である。
【００２０】
しかしながら、テールプラグ１７も仕切板として機能しているから、前端のキーガイド１６も含めて、スロット２２の両側にある部材を仕切板と称することにする。
【００２１】
図示の実施例においては、選択された最奥のロータリーディスクタンブラー２００が収納されているスロットを形成している一対の仕切板の内室内側のもの（図示の実施例ではテールプラグ１７）を選択された仕切板として指定する。
【００２２】
そして、この選択された仕切板としてのテールプラグ１７の、上記フローティングピン１４の他端（下端）の移動軌跡と干渉する部分の室外側に、図４及び図７に示すように、室外側に向かって張出すように棚部２３が形成されている。
【００２３】
この棚部２３は、図４及び図７に示すように、仕切板１５（テールプラグ１７）の鍵孔を形成する開口の下端縁に接するように形成され、合鍵挿入時フローティングピン１４の他端と係合して、例えば棚部に形成された面取り部２６とフローティングピン１４の下端球面部との係合によって生じる楔作用により、これを鍵孔の開口端縁に揃えるように案内するものである。
【００２４】
他方、前記したようにフローティングピン１４の長さは合鍵のブレード１２の厚さ寸法より長いから（図３参照）、鍵孔の断面形状が従来のロータリーディスクタンブラー錠と同じだとフローティングピン１４が鍵孔の開口端縁と干渉して合鍵を鍵孔に挿入できない。
【００２５】
そのため、図５に示すように、選択された仕切板としてのテールプラグ１７より室外側にある前仕切板１５、５（１６）の鍵孔５の開口端縁に、フローティングピン１４が潜り抜けることができる逃し切欠２４が形成されている。
【００２６】
但し、選択されたロータリーディスクタンブラー２００に対向する仕切板の内外側のものには、これを潜り抜けるときフローティングピン１４がその長さ方向に移動する可能性があることから、この仕切板１５の裏側（室内側）に逃し凹部２５（図４及び図５参照）を形成するとよい。
【００２７】
また、選択されたロータリーディスクタンブラー２００の鍵挿通孔１のフローティングピンの一端と当接する部分は、合鍵が挿入されてフローティングピンの一端により押動されたとき、その解錠切欠がロッキングバー１１の内側縁と整合するように成形されている。
【００２８】
上記のように構成されたこの発明の一実施例によるロータリーディスクタンブラー錠は、合鍵挿入時選択されたロータリーディスクタンブラー２００以外のロータリーディスクタンブラー２、２は合鍵の窪み９と係合してその解錠切欠４をロッキングバー１１の内側縁と整合させる。
【００２９】
選択されたロータリーディスクタンブラー２００は、図示の実施例では最奥にあるとしたから、図６に示すように、合鍵を完全に挿入しない状態ではその一部を鍵孔５内に臨ませた角度位置にあり、このときにはその解錠切欠４がロッキングバー１１と整合していないので、未だロータリーディスクタンブラー錠は施錠状態にある。
【００３０】
更に合鍵を挿入すると、フローティングピン１４の他端球面部が棚部２３の上端稜部に形成された例えば面取り部と係合し、これらの係合によって生じる楔作用により押上げられて、図４及び図７に示すように、選択されたロータリーディスクタンブラー２００の鍵挿通孔の開口端縁を押動して、その解錠切欠４をロッキングバー１１の内側縁に整合させるので、ロータリーディスクタンブラー錠が解錠される。
【００３１】
このとき、図７から明らかなように、選択されたロータリーディスクタンブラー２００の鍵挿通孔１の開口端縁は鍵孔５の外側に移動する。
【００３２】
換言すれば、選択されたロータリーディスクタンブラー２００の鍵挿通孔の開口端縁は全部手前の仕切板１５の影に隠れてしまう。
【００３３】
つまり、ピッキングによりこの発明によるロータリーディスクタンブラー錠を不正解錠するには、狭い鍵孔の外端から細い工具を差し入れ、選択されたロータリーディスクタンブラー２００の鍵挿通孔の開口端縁をその手前の仕切板の鍵孔の外側に移動させなければならない（図７参照）。
【００３４】
これは現在出回っている直線状のピッキング工具では先ず不可能で、将来ピッキング技術が向上するとしても、ピッキングが非常に困難であることは間違いない。
【００３５】
なお、この発明は図示の実施例に限定されることなく種々に変形して実施することが可能である。
【００３６】
例えば、図示の実施例では合鍵の先端に装着するものとしたが、フローティングピンの装着箇所はブレードの長さ方向に沿う中程でもよいことは勿論である。
【００３７】
また、この発明は図示の実施例のように鍵孔５の横断面形状の長手方向が水平なロータリーディスクタンブラー錠のみに適用が可能である、ということではなく、所謂縦長の鍵孔を有するロータリーディスクタンブラー錠にも適用が可能で、この場合には、フローティングピンの一端も球面状に成形する等して、逃し切欠との係合により長さ方向に駆動し易くすれば良い。
【００３８】
【発明の効果】
以上の説明から明らかなように、この発明は、合鍵にその厚さよりも長いフローティングピンを遊動可能に装着し、一方、選択されたロータリーディスクタンブラーを収納するスロットを形成する一対の仕切板の内、室内側の仕切板のフローティングピンの他端の移動軌跡と干渉する部分の室外側に、フローティングピンの他端と係合してこれを鍵孔の開口端縁に揃えるように案内する棚部を形成し、ロータリーディスクタンブラー錠の施解錠時、棚部との係合によってフローティングピンを長さ方向に駆動し、その一端により、選択されたロータリーディスクタンブラーの解錠切欠をロッキングバーの内側縁と整合させると共に、鍵挿通孔の開口端縁をその手前の仕切板で隠すようにしたので、ピッキングを極めて困難にする、という所期の効果を奏する。
【図面の簡単な説明】
【図１】ロータリーディスクタンブラー錠の構成を説明するための横断面図。
【図２】合鍵の平面図。
【図３】この発明の一実施例によるロータリーディスクタンブラー錠の合鍵の、フローティングピン装着部の拡大横断面図。
【図４】この発明の一実施例によるロータリーディスクタンブラー錠の縦断面図。
【図５】仕切板の正面図。
【図６】この発明の一実施例によるロータリーディスクタンブラー錠の選択されたロータリーディスクタンブラー装着部の横断面図で、合鍵を挿入していない状態を示す。
【図７】この発明の一実施例によるロータリーディスクタンブラー錠の選択されたロータリーディスクタンブラー装着部の横断面図で、手前の仕切板を取り外し、かつ合鍵が挿入された状態を示す。
【符号の説明】
１  鍵挿通孔
２  ロータリーディスクタンブラー
３  支軸
４  解錠切欠
５  鍵孔
６  合鍵
７  係合突起
８  バックアップピン
９  窪み
１１  ロッキングバー
１２  ブレード
１４  フローティングピン
１５  仕切板
１７  テールプラグ
２２  スロット
２３  棚部
２４  逃し切欠
２５逃し凹部
【図１】
0004113714.tif 000002
【図２】
0004113714.tif 000003
【図３】
0004113714.tif 000004
【図４】
0004113714.tif 000005
【図５】
0004113714.tif 000006
【図６】
0004113714.tif 000007
【図７】
0004113714.tif 000008